(57)【要約】      （修正有）【課題】蛍光ランプから交換可能なＬＥＤランプを提供する。【解決手段】直管型ＬＥＤ発光素子を具えた発光装置２及びそのランプカバー１、電源起動装置及び該電源起動装置に接続して電源のオンオフ操作するチェーンを組み合わせ、これらを四辺形状のフレーム構造の内フレームの収容凹部内に収容する。さらに、内フレーム表面に通風孔を設けて放熱効果を持たせ、或いは空調の冷風を天井の通風ダクトから導入して上記通風孔から排出することにより、放熱効果を向上する。【選択図】図１
0003178229.tif 000002
【実用新案登録請求の範囲】
【請求項１】
ランプカバー及び発光装置を備えるランプであって、
前記ランプカバーは、上から下の順番で、上ケーシング、下ケーシング及びカバー体から構成され、
前記ランプカバーの両端には、互いに対向して電源に接続するコネクタが配置され、
前記発光装置は、直管型ＬＥＤ発光素子と、該発光素子両端に接続されると共に、前記２つの対向するコネクタ内に嵌入される電源端子と、を有することを特徴とするランプ。
【請求項２】
前記上ケーシングの下縁と下ケーシングの間には、発光素子の熱を外部に放熱する導熱体が配置されることを特徴とする請求項１に記載のランプ。
【請求項３】
前記電源端子には、温度制御素子が配置されることを特徴とする請求項１に記載のランプ。
【請求項４】
ランプカバー、発光装置及び制御装置を備えるランプであって、
前記ランプカバーは、上から下の順番で、上ケーシング、下ケーシング及びカバー体から構成され、前記ランプカバーの両端には、互いに対向して電源に接続するコネクタが配置され、
前記発光装置は、直管型ＬＥＤ発光素子と、前記発光素子両端に接続されると共に、前記２つの対向するコネクタ内に嵌入される電源端子と、を有し、
前記制御装置は、電源の起動装置及び該起動装置に接続されるチェーンを有し、該起動装置は、前記ランプカバーのカバー体に配置されて、前記電源端子と電気的に接続され、上記チェーンの引っ張り操作により前記起動装置による電源のオン／オフを制御することを特徴とするランプ。
【請求項５】
前記上ケーシングの下縁と下ケーシングの間には、発光素子の熱を外部に放熱する導熱体が配置されることを特徴とする請求項４に記載のランプ。
【請求項６】
前記電源端子には、温度制御素子が配置されることを特徴とする請求項４に記載のランプ。
【請求項７】
ランプカバー、発光装置、制御装置及びフレーム構造を備えるランプであって、
前記ランプカバーは、上から下の順番で、上ケーシング、下ケーシング及びカバー体から構成され、前記ランプカバーの両端には、互いに対向して電源に接続するコネクタが配置され、
前記発光装置は、直管型ＬＥＤ発光素子と、前記発光素子両端に接続されると共に、前記２つの対向するコネクタ内に嵌入される電源端子と、を有し、
前記制御装置は、電源の起動装置及び該起動装置に接続されるチェーンを有し、前記起動装置は、前記ランプカバーのカバー体に配置されて、前記電源端子及び導電部と電気的に接続され、上記チェーンの引っ張り操作により前記起動装置による電源のオン／オフを制御し、
前記フレーム構造は、ランプカバー、発光装置、及び制御装置を収容する、それぞれ四辺形状の外フレーム及び内フレームを有し、該記内フレームは、該外フレームの内周縁上に配置され、前記内フレーム内には、上記ランプカバー、発光装置、及び制御装置を収容する少なくとも１つの収容凹部が設けられ、前記収容凹部両端には、前記２つのコネクタの外側端が嵌入される導電部が配置されることを特徴とするランプ。
【請求項８】
前記上ケーシングの下縁と下ケーシングの間には、発光素子の熱を外部に放熱する導熱体が配置されることを特徴とする請求項７に記載のランプ。
【請求項９】
前記電源端子には、温度制御素子が配置されることを特徴とする請求項７に記載のランプ。
【請求項１０】
前記２つの収容凹部間の前記内フレーム表面には、前記チェーンが貫設される開孔と、前記内フレーム内に連通する複数の通風孔と、が設けられることを特徴とする請求項７に記載のランプ。
【考案の詳細な説明】
【技術分野】
【０００１】
本考案は、ランプカバー、発光装置、制御装置及びフレーム構造から構成され、ランプの構造の多様性を高めることができるランプに関する。
【背景技術】
【０００２】
一般に、オフィスビルで使用される従来の蛍光ランプは、複数の蛍光ランプの線路が１つのスイッチに集中している。そのため、ユーザが自分の上方にある蛍光ランプのみを操作したくても、そうすることができない。また、蛍光ランプと共に天井板にクーラーの送風管路を設ける場合、別途、室内にクーラーからの送風を導入する通路を敷設しなければならない。このため、送風管路を敷設する十分な空間がない場合、その領域にはクーラーの冷風を送ることができないため、良好なオフィス環境を形成することができない。
【先行技術文献】
【特許文献】
【０００３】
【特許文献１】特開２０１２−８４５０４号公報
【考案の概要】
【考案が解決しようとする課題】
【０００４】
本考案の目的は、ランプの構造の多様性を高めることができるランプを提供することにある。
【課題を解決するための手段】
【０００５】
本考案のランプは、ランプカバー及び発光装置を含む。ランプカバーは、上から下の順番で、上ケーシング、下ケーシング及びカバー体が設けられて構成される。ランプカバーの両端には、コネクタが設けられることにより、ブラケットのソケットに安定して連結することができる。発光装置は、発光素子と、発光素子両端に接続されると共に、コネクタに嵌入される電源端子と、を具える。電源端子上には、温度制御素子が配置される。
【０００６】
ランプカバーの上ケーシングの下縁部分には、導熱体が配置される。導熱体により、熱エネルギがランプカバー外部に迅速に導出される。これにより、ランプの導熱効果が高められ、使用寿命が延長される。
【０００７】
また、本考案のランプは、制御装置を組み合わせることにより、ランプの機能の多様性をさらに高めることができる。制御装置は、電源起動装置及び該起動装置に接続されるチェーンを具える。起動装置は、ランプカバー上に配置され、電源端子と電気的に接続される。これにより、ユーザがチェーンを引っ張ることにより、起動装置の電源のオン／オフを行うことができる。これにより、発光装置への電力供給を制御し、光照射を簡単に制御することができる。
【０００８】
また、コネクタを介し、ランプカバー、発光装置及び制御装置をフレーム構造上に装着することができる。フレーム構造は、ランプカバー、発光装置及び制御装置を収容する四辺形状の内フレーム及び外フレームを具える。内フレームは、外フレームの内周縁上に配置される。また、内フレーム内には、ランプカバー、発光装置及び制御装置を収容する少なくとも１つの収容凹部が設けられる。収容凹部両端には、互いに対向する２つのコネクタの外側端が嵌入される導電部が配置される。これにより、導電部と電源端子とが電気的に接続される。
【０００９】
２つの収容凹部間の内フレーム表面上には、内フレーム内に連通する複数の通風孔と、チェーンが貫設される開孔と、が設けられる。これにより、ランプの放熱効果が高められる。また、ランプが天井板上に装着された場合、クーラーの送風管路とランプとを連結してクーラーの冷風を導入することにより、クーラーの冷風をフレーム構造の通風孔から排出させることができる。これにより、ランプは、良好な放熱効果を有する。また、通風孔により、クーラーの送風管路を敷設する必要がなくなるため、省エネ及び施工コストの削減を実現することができる。
【考案の効果】
【００１０】
本考案により、以下（１）〜（９）に示す効果を実現することができる。
（１）本考案のランプは、ランプカバー及び発光装置が簡素に配置されて構成されるため、構造が簡素である。
（２）制御装置中に含まれる電源起動装置及び電源操作用チェーンがランプカバー上に装着されることにより、発光装置への電力供給を制御することができる。
（３）フレーム構造の内フレームと外フレームとが組み合わされることにより、ランプの構造に固定フレーム構造が形成される。これにより、屋根、天井板などの構造に照明設備を簡単に装着することができる。
（４）電源起動装置のチェーンにより、各ランプのオン／オフを独立して制御することができるため、必要に応じ、光照射のオン／オフを適時行うことができる。
（５）２つの収容凹部間の内フレーム表面上に、チェーンが貫設される開孔が設けられることにより、ユーザは、１つのチェーンを操作し、複数のランプのオン／オフを同時に制御することができる。これにより、操作の利便性を高めることができる。
（６）ランプカバーの上ケーシング下縁部分に導熱体が配置されることにより、熱エネルギが迅速にランプカバー外部に導出される。
（７）内フレーム表面上に、内フレーム内に連通する複数の通風孔が設けられることにより、ランプの放熱効果が高められる。
（８）内フレームの通風孔とクーラーの送風管路とを連結することにより、クーラーの送風管路を敷設する必要がなくなるため、省エネ及び施工コストの低減を実現することができる。
（９）温度制御素子により、ランプの温度を自動検出し、電源端子を保護することができるため、発光装置の使用寿命を延長することができる。
【図面の簡単な説明】
【００１１】
【図１】本考案の第１実施形態によるランプを示す分解斜視図である。
【図２】本考案の第１実施形態によるランプを示す斜視図である。
【図３】本考案の第１実施形態によるランプを従来のブラケットに装着した状態を示す斜視図である。
【図４】本考案の第２実施形態によるランプを示す分解斜視図である。
【図５】本考案の第２実施形態によるランプの起動装置を示す分解斜視図である。
【図６】本考案の第２実施形態によるランプを示す斜視図である。
【図７】本考案の第３実施形態によるランプを示す分解斜視図である。
【図８】本考案の第３実施形態によるランプを示す斜視図である。
【図９】本考案の第４実施形態によるランプを示す斜視図である。
【図１０】本考案のランプカバーに導熱体を組み合わせる状態を示す分解斜視図である。
【図１１】本考案の内フレームに通風孔を設けた状態を示す斜視図である。
【図１２】本考案の温度制御素子の回路を示すブロック図である。
【考案を実施するための形態】
【００１２】
（第１実施形態）
図１〜図３を参照する。本考案のランプは、ランプカバー１及び発光装置２を具える。ランプカバー１は、上から下の順番で、上ケーシング１１、下ケーシング１２及びカバー体１３から構成される。ランプカバー１の両端には、互いに対向するコネクタ６が接続されて電源配線が接続される。
発光装置２は、発光素子２１及び電源端子２２から構成される。電源端子２２は、発光素子２１両端に接続されると共に、２つの対向するコネクタ６内に嵌入される。電源端子２２には、温度制御素子２２１が配置される。発光素子２１は、直管形ＬＥＤランプから構成することができる。本考案の第１実施形態においては、ランプカバー１及び発光装置２により、簡素なランプの構造が構成され、一般のオフィスビルに使用される蛍光ランプの代わりに使用することができる。図３中に示すように、コネクタ６が従来の蛍光ランプのブラケットのソケット８上に装着されることにより、簡単に実施及び装着することができる。
【００１３】
（第２実施形態）
図４〜図６を参照する。また、図１を合わせて参照する。本考案の第２実施形態は、第１実施形態と略同一である。異なる点としては、ランプカバー１に、制御装置３が組み合わされる。制御装置３は、起動装置３１及び該起動装置に接続されるチェーン３２を具える。起動装置３１は、ランプカバー１のカバー体１３に配置される。起動装置３１は、上蓋３１０及びベース台３１１を有する。
上蓋３１０中には、チェーン３２の引っ張り操作によって作動して回転する引動部３１００を有する。引動部３１００は、作動部３１０１を作動させ、ベース台３１１中央部分に装着される導電盤３１１０を回転させる。これにより、導電盤３１１０外周に周設される導電リング３１１１と、接線溝３１１２中の導電片３１１３と、が好適に接触する。  これにより、導電リング３１１１及び導電片３１１３は、電源端子２２と電気的に接続される。即ち、ユーザがチェーン３２を引っ張ると、チェーン３２が引動部３１００、作動部３１０１及び導電盤３１１０を作動させ、導電盤３１１０外周に周設された導電リング３１１１が接線溝３１１２中の導電片３１１３と好適に接触することにより、電源端子２２と導電リング３１１１と導電片３１１３とが互いに導通する。これにより、発光装置２への電力供給を制御することができ、ランプによる光照射を簡単に制御することができ、ランプの機能の多様性をさらに高めることができる。
【００１４】
（第３実施形態）
図７及び図８を参照する。また、図１及び図４を合わせて参照する。本考案の第３実施形態は、第２実施形態と略同一である。異なる点としては、コネクタ６を介し、ランプカバー１、発光装置２及び制御装置３がフレーム構造４上に装着される。フレーム構造４は、内フレーム４２及び外フレーム４１を有する。内フレーム４２は、外フレーム４１の内周縁上に配置される。内フレーム４２内には、少なくとも１つの収容凹部４２１が設けられる。収容凹部４２１両端には、互いに対向すると共に２つのコネクタ６外側端が嵌入される導電部４２２が配置される。これにより、導電部４２２と電源端子２２とは電気的に接続される。
【００１５】
本考案の第３実施形態においては、フレーム構造４により、ランプの構造に固定フレーム構造が形成される。これにより、照明設備を必要とする屋根、天井板などの構造上に照明設備を装着することができ、ランプを装着する際の多様性を高めることができる。また、必要に応じて起動装置３１のチェーン３２により、ランプが装着された領域毎に光照射を制御することができるため、消費電力を低減し、実施の利便性を高めることができる。
【００１６】
（第４実施形態）
図９を参照する。また、図４及び図７を合わせて参照する。本考案の第４実施形態は、第３実施形態と略同一である。異なる点としては、制御装置３が複数のランプによる光照射のオン／オフを独立して制御することができると共に必要に応じて、制御装置３を複数のランプの電源配線と電気的に接続することができる（図示せず）。また、２つの収容凹部４２１間の内フレーム４２表面上には、チェーン３２が貫設される開孔４２３が設けられる。これにより、ユーザは、１つのチェーン３２を操作することにより、複数のランプへの電力供給を制御することができ、操作の利便性を高めることができる。
【００１７】
図１０を参照する。ランプカバー１の上ケーシング１１の下縁部分には、導熱体５が配置される。即ち、上ケーシング１１と下ケーシング１２とが接続される部分に、導熱体５が配置される。これにより、上ケーシング１１下方に配置される発光素子２１から発生する熱エネルギは、導熱体５により、ランプカバー１外部に迅速に導出され、放熱される。これにより、ランプが過熱状態になり、故障するのを防止することができるため、ランプの使用寿命を延長することができる。
【００１８】
図１１を参照する。また、図７を合わせて参照する。収容凹部４２１に隣接する内フレーム４２表面上には、内フレーム４２内に連通する複数の通風孔４２４が設けられる。これにより、ランプの放熱効果が高められる。また、ランプが天井板上に装着された場合、クーラーの送風管路とランプとを連結することにより、クーラーの冷風をフレーム構造４の通風孔４２４から排出させることができる。これにより、ランプは好適な放熱効果を有することができる。また、通風孔４２４により、クーラーの送風管路を敷設する必要がなくなるため、省エネ及び施工コストの低減を実現することができる。
【００１９】
図１２を参照する。また、図１を合わせて参照する。電源端子２２の温度制御素子２２１は、発光素子２１の温度を自動的に検出し、発光装置２を保護する。これにより、発光装置２の使用寿命を延長することができる。また、以下に示すステップにより、ランプに安定した電力を供給することができる。
【００２０】
外部の交／直流電源は、ヒューズを通過した後、まず、交流電流が整流回路７ｂに至り、直流電流に初期変換される。整流後の直流電源は、スイッチング回路７ｄに進入し、スイッチングトランジスタにより、入力された電圧が必要な出力に降圧される。スイッチング回路７ｄによる降圧後、電流は、フィルタ回路のフィルタインダクタ７ｅにより、フィルタリングされ、降圧時に発生したノイズが除去される。その後、フィルタキャパシタ７ｆにより、フィルタリングが行われ、出力電圧の安定化が行われる。その後、出力電圧は、電流分流器７ｇに進入し、分流された安定した電流出力７ｈが電源端子２２に供給される。
【００２１】
また、回路の出力端には、過電圧保護回路７ｉ、過電流保護回路７ｊ、高温を検出し、ランプを保護する過温度保護回路７ｍ、定電流基準回路７ｋなどから構成されるフィードバック補償回路が配置される。フィードバック補償回路による補償後、温度制御素子７ａを通過する。温度制御素子７ａは、主に、発光装置２の発光素子２１の温度を自動検出した後、パルス幅変調回路７ｎにより、スイッチング回路７ｄのスイッチング頻度を自動調整する。これにより、出力される電流値を調整する。以上の構造により、電圧浮動により、電源端子２２の電流が異常に変化した場合でも、出力電流を随時調整することができる。このため、電流の不安定により、発光素子２１の輝度が不足することがない。また、温度制御素子７ａが発光素子２１の温度を自動的に検出することにより、発光装置２の使用寿命を確保することができる。
【００２２】
上述したことから分かるように、本考案のランプは以下（１）〜（１０）に示す長所を有する。
【００２３】
（１）本考案のランプは、ランプカバー及び発光装置が簡素に配置されて構成されるため、構造が簡素である。
（２）制御装置中に含まれる起動装置及びチェーンがランプカバー上に装着されることにより、発光装置への電力供給を制御することができる。
（３）フレーム構造の内フレームと外フレームとが組み合わされることにより、ランプの構造に固定フレーム構造が形成される。これにより、照明を必要とする屋根、天井板などの構造に照明設備を簡単に装着することができる。
（４）起動装置上のチェーンにより、各ランプのオン／オフを独立して制御することができるため、必要に応じ、光照射のオン／オフを適時行うことができる。
（５）２つの収容凹部間の内フレーム表面上に、チェーンが貫設される開孔が設けられることにより、ユーザは、１つのチェーンを操作し、複数のランプのオン／オフを同時に制御することができる。これにより、操作の利便性を高めることができる。
（６）ランプカバーの上ケーシング下縁部分に導熱体が配置されることにより、熱エネルギが迅速にランプカバー外部に導出される。
（７）内フレーム表面上に、内フレーム内に連通する複数の通風孔が設けられることにより、ランプの放熱効果が高められる。
（８）内フレームの通風孔とクーラーの送風管路とを連結することにより、クーラーの送風管路を敷設する必要がなくなるため、省エネ及び施工コストの低減を実現することができる。
（９）温度制御素子により、ランプの温度を自動検出し、電源端子を保護することができるため、発光装置の使用寿命を延長することができる。
【符号の説明】
【００２４】
１  ランプカバー
１１  上ケーシング
１２  下ケーシング
１３  カバー体
２  発光装置
２１  発光素子
２２  電源端子
２２１  温度制御素子
３  制御装置
３１  起動装置
３１０  上蓋
３１１  ベース台
３１００  引動部
３１０１  作動部
３１１０  導電盤
３１１１  導電リング
３１１２  接線溝
３１１３  導電片
３２  チェーン
４  フレーム構造
４１  外フレーム
４２  内フレーム
４２１  収容凹部
４２２  導電部
４２３  開孔
４２４  通風孔
５  導熱体
６  コネクタ
７ａ  温度制御素子
７ｂ  倍電圧整流回路
７ｄ  スイッチング回路
７ｅ  フィルタインダクタ
７ｆ  フィルタキャパシタ
７ｇ  電流分流器
７ｈ  電流出力
７ｉ  過電圧保護回路
７ｊ  過電流保護回路
７ｋ  定電流基準回路
７ｍ  過温度保護回路
７ｎ  パルス幅変調回路
８  ソケット
【図１】
0003178229.tif 000003
【図２】
0003178229.tif 000004
【図３】
0003178229.tif 000005
【図４】
0003178229.tif 000006
【図５】
0003178229.tif 000007
【図６】
0003178229.tif 000008
【図７】
0003178229.tif 000009
【図８】
0003178229.tif 000010
【図９】
0003178229.tif 000011
【図１０】
0003178229.tif 000012
【図１１】
0003178229.tif 000013
【図１２】
0003178229.tif 000014